(57)【特許請求の範囲】
【請求項１】
表裏面および一対の側面を有して一定方向に延びた複数の板状部と、これら複数の板状部を支持する支持部とを備えた導電性部材からなるフレームを準備し、
上記各板状部の表裏面のいずれか一方に、上記一定方向に間隔を隔てて並んだ複数の電極とこれら複数の電極間領域に位置する第１の絶縁層とを形成するとともに、上記各板状部の一対の側面に第２の絶縁層を形成することにより、複数のバー状の抵抗器集合体を作製する工程と、
上記各板状部を複数のチップ状の抵抗体とするように、上記各抵抗器集合体を複数のチップ抵抗器に分割する工程と、
を有していることを特徴とする、チップ抵抗器の製造方法。
【請求項２】
上記各板状部の一対の側面に第２の絶縁層を形成する工程は、上記各板状部と上記フレームの支持部との連接部を捩じり変形させることによって上記各板状部をその長手方向に延びる軸線周りに回転させた状態で行なう、請求項１に記載のチップ抵抗器の製造方法。
【請求項３】
上記フレームとしては、上記連接部が上記板状部よりも幅狭に形成されたものを用いる、請求項２に記載のチップ抵抗器の製造方法。
【請求項４】
上記抵抗器集合体を複数のチップ抵抗器に分割する前に、上記各板状部の表裏面のうち、上記第１の絶縁層が形成されている面とは反対の面に、第３の絶縁層を形成する工程をさらに有している、請求項１ないし３のいずれかに記載のチップ抵抗器の製造方法。
【請求項５】
上記バー状の抵抗器集合体を作製する工程は、上記各板状部に上記第１ないし第３の絶縁層を形成した後に、メッキ処理によって上記複数の電極を形成する工程を含んでいる、請求項４に記載のチップ抵抗器の製造方法。
【請求項６】
表裏面および一対の側面を有して一定方向に延びた複数の板状部と、これら複数の板状部を支持する支持部とを備えている導電性部材からなるフレームであって、
上記各板状部と上記支持部との連接部は、上記板状部よりも幅狭に形成されていることを特徴とする、フレーム。
【発明の詳細な説明】
【０００１】
【発明の属する技術分野】
本願発明は、チップ抵抗器の製造方法およびそれに用いられるフレームに関する。
【０００２】
【従来の技術】
従来のチップ抵抗器の一例としては、図１５に示すようなものがある（特許文献１参照）。図示されたチップ抵抗器Ｂは、金属製のチップ状の抵抗体９０の下面９０ｂに、一対の電極９１が空隙部９３を介して離間して設けられた構成を有している。各電極９１の下面には、実装時のハンダ付け性を良くするための手段として、ハンダ層９２が形成されている。
【０００３】
このチップ抵抗器Ｂは、図１６に示すような方法により製造される。まず、同図（ａ）に示すように、抵抗体９０および電極９１のそれぞれの材料として、２枚の金属板９０’, ９１’を準備し、同図（ｂ）に示すように、金属板９０’の下面に金属板９１’を重ね合わせて接合する。次いで、同図（ｃ）に示すように、金属板９１’の一部を機械加工によって切削し、空隙部９３を形成する。その後は、同図（ｄ）に示すように、金属板９１’の下面にハンダ層９２’を形成してから、同図（ｅ）に示すように、金属板９０’, ９１’を切断する。このことにより、チップ抵抗器Ｂが製造される。
【０００４】
【特許文献１】
特開２００２−５７００９号公報（図１，図３）
【０００５】
【発明が解決しようとする課題】
上記したチップ抵抗器Ｂは、抵抗体９０の下面９０ｂのうち、一対の電極９１間の領域や、抵抗体９０の各側面９０ｃは絶縁保護されていない構造となっている。このため、ハンダを利用してチップ抵抗器Ｂを所望箇所に面実装するときには、各電極９１の下方からはみ出したハンダの一部が、抵抗体９０の下面９０ｂや各側面９０ｃに付着する場合があった。このような事態が生じたのでは、抵抗値に大きな誤差が生じ、チップ抵抗器Ｂを利用して構成される電気回路の仕様に狂いを生じてしまう。このような不具合は、チップ抵抗器Ｂの低抵抗化が図られて、抵抗値の誤差を少なくする必要性が高くなるほどより深刻となる。
【０００６】
また、上記従来技術においては、チップ抵抗器Ｂの製造作業が煩雑であり、その生産性が悪いという不具合もあった。より具体的には、従来においては、空隙部９３の形成は、機械加工により行なっている。また、その加工は、一対の電極９１間の寸法ｓ５を精度良く仕上げなければならない。このため、上記加工はかなり慎重に行なう必要があり、チップ抵抗器Ｂの生産性が悪くなっていた。さらに、上記従来技術においては、切削加工を経てチップ抵抗器Ｂが製造されるために、その切削加工精度に起因する電極間抵抗値の誤差も発生していた。
【０００７】
本願発明は、上記した事情のもとで考え出されたものであって、抵抗体へのハンダ付着に起因して抵抗値に誤差が発生するといった不具合を解消し、または抑制することが可能なチップ抵抗器を効率良く、かつ適切に製造することが可能なチップ抵抗器の製造方法を提供することを課題としている。また、本願発明は、そのようなチップ抵抗器の製造方法の実施に好適な製造用フレームを提供することを他の課題としている。
【０００８】
【発明の開示】
上記の課題を解決するため、本願発明では、次の技術的手段を講じている。
【０００９】
本願発明の第１の側面によって提供されるチップ抵抗器の製造方法は、表裏面および一対の側面を有して一定方向に延びた複数の板状部と、これら複数の板状部を支持する支持部とを備えた導電性部材からなるフレームを準備し、上記各板状部の表裏面のいずれか一方に、上記一定方向に間隔を隔てて並んだ複数の電極とこれら複数の電極間領域に位置する第１の絶縁層とを形成するとともに、上記各板状部の一対の側面に第２の絶縁層を形成することにより、複数のバー状の抵抗器集合体を作製する工程と、上記各板状部を複数のチップ状の抵抗体とするように、上記各抵抗器集合体を複数のチップ抵抗器に分割する工程と、を有していることを特徴としている。
【００１０】
本願発明によれば、チップ状の抵抗体の表裏いずれかの片面に複数の電極が設けられているとともに、その電極間領域と上記抵抗体の一対の側面とが第１および第２の絶縁層によって被覆された構造をもつチップ抵抗器が製造される。このような構造のチップ抵抗器においては、抵抗体の上記した片面や一対の側面にハンダが誤って付着する虞れが無くなる。したがって、抵抗体への不当なハンダ付着に起因して抵抗値に大きな誤差が発生しないようにし、チップ抵抗器を利用して構成される電気回路の仕様に大きな狂いが生じるといったことが適切に解消される。
【００１１】
また、本願発明によれば、従来技術とは異なり、複数の電極どうしが第１の絶縁層によって仕切られた構造とすることができ、それら複数の電極を形成するための手段としては、切削手段を用いる必要はない。このため、従来技術とは異なり、抵抗体が不当に切削されるといったことを回避し、抵抗体を所望の正確なサイズにすることも簡単に行なえることとなる。その結果、本願発明によれば、電極間抵抗値の誤差が非常に小さく、品質が非常に高いチップ抵抗器を製造することが可能となる。
【００１２】
さらに、本願発明によれば、上記フレームの各板状部からチップ抵抗器を複数個取りすることができるのに加え、第２の絶縁層の形成作業については、チップ抵抗器の複数個分に相当する作業を一括して行なうことができるために、チップ抵抗器の生産効率が良く、生産コストの低減化が可能である。
【００１３】
本願発明の好ましい実施の形態においては、上記各板状部の一対の側面に第２の絶縁層を形成する工程は、上記各板状部と上記フレームの支持部との連接部を捩じり変形させることによって上記各板状部をその長手方向に延びる軸線周りに回転させた状態で行なう。このような構成によれば、上記各板状部を上記軸線周りに回転させたときに、その側面の向きが変更され、また上記各板状部の側面近傍部分を上記フレームの支持部から上記フレームの厚み方向に突出させた格好にすることもできる。したがって、上記各板状部の側面に第２の絶縁層を形成する作業の容易化を図ることが可能となる。
【００１４】
本願発明の好ましい実施の形態においては、上記フレームとしては、上記連接部が上記板状部よりも幅狭に形成されたものを用いる。このような構成によれば、上記各連結部が捩じり変形し易くなり、上記各板状部を容易に回転させることができる。
【００１５】
本願発明の好ましい実施の形態においては、上記抵抗器集合体を複数のチップ抵抗器に分割する前に、上記各板状部の表裏面のうち、上記第１の絶縁層が形成されている面とは反対の面に、第３の絶縁層を形成する工程をさらに有している。このような構成によれば、抵抗体の表面が第３の絶縁層によって絶縁保護されたチップ抵抗器が得られることとなる。
【００１６】
本願発明の好ましい実施の形態においては、上記バー状の抵抗器集合体を作製する工程は、上記各板状部に上記第１ないし第３の絶縁層を形成した後に、メッキ処理によって上記複数の電極を形成する工程を含んでいる。このような構成によれば、上記複数の電極をメッキ処理によって一括して容易に形成することができる。
【００１７】
本願発明の第２の側面によって提供されるフレームは、表裏面および一対の側面を有して一定方向に延びた複数の板状部と、これら複数の板状部を支持する支持部とを備えている導電性部材からなるフレームであって、上記各板状部と上記支持部との連接部は、上記板状部よりも幅狭に形成されていることを特徴としている。
【００１８】
このような構成を有するフレームは、本願発明の第１の側面によって提供されるチップ抵抗器の製造方法の実施に好適に使用することができる。とくに、上記各連接部が幅狭に形成されているために、上記各連接部を捩じり変形させて上記各板状部を回転させる作業が容易に行なえるものとなる。
【００１９】
本願発明のその他の特徴および利点については、以下に行う発明の実施の形態の説明から、より明らかになるであろう。
【００２０】
【発明の実施の形態】
以下、本願発明の好ましい実施の形態について、図面を参照しつつ具体的に説明する。
【００２１】
チップ抵抗器の製造に際しては、たとえば図１に示すようなフレームＦを予め準備する。このフレームＦは、チップ抵抗器の抵抗体材料となるものであり、Ｎｉ−Ｃｕ系合金、Ｃｕ−Ｍｎ系合金、あるいはＮｉ−Ｃｒ系合金などの金属製である。ただし、その具体的な材質は限定されるものではなく、最終的に得ようとするチップ抵抗器の抵抗体の材質に応じて適宜選択される。
【００２２】
フレームＦは、矩形枠状の支持部１９と、この支持部１９に支持された複数の板状部１Ａとを有している。支持部１９には、このフレームＦを所望の箇所に位置決め固定するのに利用するための適当なサイズの貫通孔（図示略）を設けた構成とすることもできる。各板状部１Ａは、最終的にはチップ抵抗器の抵抗体となる部分であり、その長手方向の略全長域にわたって各所の幅および厚みが一定とされた帯状あるいは長矩形状である。複数の板状部１Ａは、フレームＦに形成された複数のスリット１８のそれぞれを介して各板状部１Ａの幅方向に略平行に並んでいる。板状部１Ａの長手方向両端部と支持部１９とを繋ぐ連接部１７の幅Ｗ１は、各板状部１Ａの幅Ｗ２よりも小さく形成されている。
【００２３】
フレームＦは、金属製プレートから製造することができる。すなわち、たとえば図２に示すようなプレートＰにパンチングを施すことにより、複数のスリット１８を貫通させて形成すると、これによりフレームＦが得られる。また、パンチングに代えて、たとえはエッチング処理によってスリット１８を形成した場合も同様であり、スリット１８を形成する手段としては種々の手段を用いることが可能である。チップ抵抗器のメーカがフレームＦを準備する場合、このフレームＦを自社において製造してもよいが、これに代えて、たとえば他社から購入してもよいことは勿論である。図１（ａ）においては、フレームＦに４つの板状部１Ａが設けられているに過ぎないが、これは理解の容易のためであり、チップ抵抗器の生産性を高める観点からすると、１つのフレームＦに多数の板状部１Ａが設けられることとなる。
【００２４】
次に、上記したフレームＦを用いてチップ抵抗器を製造する方法の一例について、図３〜図６を参照して説明する。
【００２５】
まず、図３（ａ）に示すように、各板状部１Ａの上向きの片面１０ａの全体に絶縁層２C'を形成する。図面においては、支持部１９上にも絶縁層２C'が形成されているが、この支持部１９上には形成する必要はない。絶縁層２C'の形成は、たとえばエポキシ樹脂をベタ塗り状に厚膜印刷して行なう。必要に応じて、この絶縁層２C'の表面には標印を施すことができる。
【００２６】
次いで、同図（ｂ）に示すように、フレームＦを表裏反転させてから、各板状部１Ａの上向きとなった面１０ｂに、複数の絶縁層２Ａを各板状部１Ａの長手方向に一定間隔で並ぶように形成する。各絶縁層２Ａは、各板状部１Ａと同一幅を有する矩形状である。各絶縁層２Ａの形成は、絶縁層２C'の形成に用いたのと同一の樹脂および装置を用いて厚膜印刷により行なう。このようにすれば、複数種類の材料や装置を用いる場合と比較して、チップ抵抗器の製造コストを削減するのに好ましい。また、上記厚膜印刷の手法によれば、各絶縁層２Ａを所望のサイズに正確に仕上げることができる。
【００２７】
板状部１Ａの一対の側面１０ｃには、後述するように絶縁層２B'を形成するが、そのための前準備として、図４（ｃ) に示すように、各板状部１Ａをその長手方向に延びる軸線Ｃ１周りの矢印Ｎ１方向に略９０度回転させる。この回転は、連接部１７を捩じり変形させることにより行なう。ただし、連接部１７は、板状部１Ａと比較して幅狭であるため、この連接部１７は捩じり変形し易く、板状部１Ａを簡単に回転させることが可能である。
【００２８】
このように各板状部１Ａを回転させると、一対の側面１０ｃのそれぞれは、その向きが変わり、しかも支持部１９の表面よりも上方、または裏面よりも下方に位置することとなる。このため、たとえば同図（ｄ）に示すように、絶縁膜形成用の液状の塗料２B"に板状部１Ａの側面１０ｃを接触させることによってこの側面１０ｃに塗料２B"を塗布するといった作業が簡単に、かつ適切に行なえることとなる。塗布された塗料２B"の乾燥硬化により、図５（ｅ）に示すように、各板状部１Ａの一対の側面１０ｃには、絶縁層２B'が適切に形成される。もちろん、絶縁層２B'は、塗料を塗布するのとは異なる手法で形成することができる。絶縁層２B'の形成後には、各板状部１Ａを逆回転させて元の姿勢に戻しておく。ただし、以降の電極形成や各板状部１Ａの切断作業は、各板状部１Ａが図４（ｃ）に示されたような回転状態であっても実施可能であり、各板状部１Ａを元の姿勢に戻す工程を省略し、全体の工程数の減少を図ってもかまわない。
【００２９】
次いで、図５（ｆ）に示すように、各板状部１Ａの片面１０ｂのうち、絶縁層２Ａどうしの間の領域に、電極３A'とハンダ層３９A'とを順次形成する。電極３A'の形成はたとえば銅メッキにより行なう。メッキ処理によれば、電極３A'と絶縁層２Ａとの間に隙間を生じさせないようにして、隣り合う絶縁層２Ａ間の領域に電極３A'を均一に形成することが可能である。電極３A'の厚みは、絶縁層２Ａの厚みよりも大きくする。ハンダ層３９A'の形成も電極３A'と同様に、たとえばメッキ処理によって行なう。このように、電極３A'とハンダ層３９A'とを形成することにより、チップ抵抗器が板状部１Ａの長手方向に一体的に繋がった構成に相当するバー状の抵抗器集合体Ａ’が得られることとなる。もちろん、本願発明においては、このような工程に代えて、電極３A'の形成後にハンダ層３９A'を形成することなく、後述するようなチップ化を図った後に、ハンダ層の形成工程を行なうようにしてもかまわない。
【００３０】
その後は、図６に示すように、バー状の各抵抗器集合体Ａ’を同図の仮想線Ｃ２で示す箇所において切断し、複数のチップ抵抗器Ａに分割する。各チップ抵抗器Ａは、板状部１Ａが切断されたチップ状の抵抗体１と、電極３A'およびハンダ層３９A'が切断された電極３およびハンダ層３９と、絶縁層２Ａと、絶縁層２B'，２C'が切断された絶縁層２Ｂ，２Ｃとを備えたものとなる。
【００３１】
より詳しくは、チップ抵抗器Ａは、図７〜図１０に示すように、チップ状の抵抗体１の裏面１０ｂに、互いに間隔を隔てた一対の電極３およびこれに積層した一対のハンダ層３９が設けられ、かつ一対の電極３間には絶縁層２Ａが設けられた構成となる。各電極３の厚みｔ１は、絶縁層２Ａの厚みｔ２よりも大きいものとなっている。抵抗体１の表面１０ａは、絶縁層２Ｃにより覆われているとともに、抵抗体１の各側面１０ｃは、絶縁層２Ｂにより覆われたものとなる。抵抗体１の両端面１０ｄは非被覆状態の露出面となる。
【００３２】
各電極３は、絶縁層２Ａの幅方向の端面２０との間に隙間が生じないように端面２０に接している。このことにより、一対の電極３の間隔は、絶縁層２Ａによって規定されており、絶縁層２Ａの幅ｓ１と同一の寸法となっている。図８においては、電極３やハンダ層３９の端部を概略的に示しているが、これら電極３やハンダ層３９はメッキにより形成されているために、実際には、図９の符号ｎ１で示すように、それらの一部分は絶縁層２Ａ上にオーバラップしている。ただし、このオーバラップしている部分自体は、抵抗体１の裏面１０ｂに直接接触している訳ではないため、抵抗体１の電極間抵抗値に誤差を生じさせる要因にはならない。
【００３３】
チップ抵抗器Ａは、所望の実装対象領域に対し、たとえばハンダリフローの手法を用いて面実装される。このハンダリフローの手法では、実装対象領域に設けられている端子上にクリームハンダを塗布してから、その上に各電極３を接触させるようにチップ抵抗器Ａを載置した状態で、リフロー炉を利用して加熱する。各電極３は、絶縁層２Ａの下面よりも下方に突出しているために、各電極３の下面へのハンダ付着の確実化が図られる。
【００３４】
上記面実装時には、ハンダが上記端子からはみ出す場合がある。これに対し、抵抗体１の裏面１０ｂの電極３間の領域と抵抗体１の各側面１０ｃとは、絶縁層２Ａ，２Ｂにより覆われているために、抵抗体１のそれらの面にハンダが直接付着することはない。したがって、抵抗体１に対する不当なハンダ付着に起因して抵抗値誤差が発生することはない。また、抵抗体１の表面１０ａは絶縁層２Ｃによって覆われているために、この表面１０ａと他の部材や機器との間に不当な電気導通が生じることも防止される。一方、抵抗体１の一対の端面１０ｄは露出しているために、この端面１０ｄに対してはハンダを付着させることによりハンダフィレットを形成し、ハンダ接合強度を高めることが可能である。このハンダフィレットを確実に形成させるための手段として、ハンダ層３９と一体または別体のハンダ層を端面１０ｄに形成してもかまわない。
【００３５】
抵抗体１は、図１に示したフレームＦの板状部１Ａを切断することにより形成されたものであるが、そのサイズについては高い寸法精度に仕上げることが可能である。また、一対の電極３間の寸法ｓ１は、絶縁層２Ａの幅と一致するが、この絶縁層２Ａは厚膜印刷によってかなり高い寸法精度で形成することが可能であるから、上記寸法ｓ１も高い精度で所望の寸法に仕上げることができる。このように、抵抗体１のサイズおよび一対の電極３間の寸法ｓ１が高い精度に仕上げられていれば、このチップ抵抗器Ａの電極間抵抗値の誤差を非常に小さくすることが可能である。したがって、このチップ抵抗器Ａにおいては、その製造後に、抵抗値調整を行なうためのトリミングを行なう必要を無くすことができる。トリミングを無くすことができれば、その分だけチップ抵抗器Ａのコスト低減が図られる。
【００３６】
また、上述したチップ抵抗器Ａの製造に際しては、従来技術とは異なり、金属板の一部に切削加工を施すことによって一対の電極を形成するといった必要はないため、製造作業の効率も良い。したがって、チップ抵抗器Ａのコストをより低減することが可能である。
【００３７】
図１１〜図１３は、本願発明の他の実施形態を示している。これらの図において、上記実施形態と同一または類似の要素には、同一の符号を付している。
【００３８】
図１１（ａ），（ｂ）に示すチップ抵抗器Ａａは、抵抗体１の裏面１０ｂの両端縁から適当な距離ｓ2 だけ離間した位置に一対の電極３が設けられ、かつ裏面１０ｂのそれ以外の領域には絶縁層２Ａが３箇所に分散して設けられた構成を有している（なお、図１１〜図１３においては、各電極３に積層して形成されるハンダ層３９を省略している）。このような構成のチップ抵抗器Ａａにおいては、各電極３が抵抗体１の端縁から適当な距離ｓ２だけ離間していることにより、各電極３の幅の縮小化が図られている。このため、一対の電極３のそれぞれの内側端縁３０ａ間の抵抗値Ｒ１と、外側端縁３０ｂ間の抵抗値Ｒ２との差を小さくすることが可能である。したがって、たとえば面実装に用いられるハンダが不均一に塗布されていることに起因して、内側端縁３０ａ寄りに偏った位置でハンダ付けがなされた場合と、外側端縁３０ｂ寄りに偏った位置でハンダ付けがなされた場合との抵抗値の差を小さくするのに好適となる。
【００３９】
このようなチップ抵抗器Ａａを製造するには、たとえば同図（ｃ）に示すように、フレームＦの各板状部１Ａの片面上に、複数の絶縁層２Ａを形成するとともに、それらの間に電極３を形成することにより、バー状の抵抗器集合体Ａa'を形成する。次いで、仮想線Ｃ３で示す箇所において、この抵抗器集合体Ａa'を切断すればよい。
【００４０】
図１２（ａ），（ｂ）に示すチップ抵抗器Ａｂは、絶縁層２Ａが略十字状に形成されていることにより、抵抗体１の裏面には４つの電極３が設けられている。このチップ抵抗器Ａｂにおいては、４つの電極３を有しているために、たとえば次のような使用が可能となる。すなわち、４つの電極３のうち、２つの電極３を一対の電流用電極として用いるとともに、残りの２つの電極３を一対の電圧用電極として用いる。電気回路の電流検出を行なう場合、一対の電流用電極３については上記電気回路の電流が流れるように上記電気回路との電気接続を図る。一対の電圧用電極３には電圧計を接続する。チップ抵抗器Ａｂの抵抗値は既知であるため、このチップ抵抗器Ａｂの抵抗体１における電圧降下を上記電圧計を利用して測定すると、この測定値をオームの式にあてはめることにより、抵抗体１に流れる電流の値を正確に知ることが可能となる。また、上記した４つの電極３の配置は対称であるから、チップ抵抗器Ａｂを上下反転させて実装しても不具合を生じないようにすることができる。
【００４１】
このチップ抵抗器Ａｂを製造するには、たとえばフレームＦの片面に形成する絶縁層２Ａを同図（ｃ）に示すような形状とするとともに、上記片面の残余部分に電極３を形成することにより、バー状の抵抗器集合体Ａb'を形成する。次いで、同図の仮想線Ｃ４で示す箇所において抵抗器集合体Ａb'を切断すればよい。
【００４２】
上記実施形態のように、本願発明においては、二対（４つ）の電極３を設けたチップ抵抗器を製造する構成とすることもできる。もちろん、二対以上の対をなすようにそれ以上の数の電極３を設けた構成としてもかまわない。チップ抵抗器の電極の総数を多くした場合、たとえばそれらのうちの一部の電極のみを使用するといった使用法も可能である。
【００４３】
図１３（ａ），（ｂ）に示すチップ抵抗器Ａｃは、２つの電極３ａどうし、および２つの電極３ｂどうしがそれぞれ対をなしており、かつ電極３ａと電極３ｂとは、互いに形状、サイズ、およびそれらの電極間寸法ｓ３，ｓ４が相違したものとなっている。このチップ抵抗器Ａｃを製造するには、たとえばフレームＦの各板状部１Ａの片面に形成する絶縁層２Ａを、同図（ｃ）に示したような形状とするとともに、上記片面の残余部分に電極を３ａ，３ｂを形成することにより抵抗器集合体Ａc'を形成する。そして、同図の仮想線Ｃ５で示す箇所において抵抗器集合体Ａc'を切断すればよい。本実施形態から理解されるように、本願発明においては、複数の電極の形状やサイズなどを不揃いにしたチップ抵抗器の製造にも適用することができる。本願発明の製造方法により製造されるチップ抵抗器の電極のそれぞれの具体的な形状、サイズ、および配置などは限定されるものではない。
【００４４】
本願発明は、上述した実施形態の内容に限定されない。本願発明に係るチップ抵抗器の製造方法の各作業工程の具体的な構成は、種々に変更自在である。本願発明は、低抵抗のチップ抵抗器の製造に好適であるが、その抵抗値の具体的な値も限定されない。
【００４５】
チップ抵抗器の製造に用いるフレームも、上述した実施形態に限定されない。たとえば、図１４（ａ）に示すように、複数の板状部１Ａが支持部１９に片もち状に支持された形態とすることも可能であり、必ずしも各板状部１Ａを支持部１９に両端支持させていなくてもかまわない。また、同図（ｂ）に示すように、板状部１Ａと支持部１９との連接部１７を細幅に形成する場合には、板状部１Ａの幅方向中心から偏った位置に連接部１７を設けた構成としてもかまわない。フレームの材質や板状部の具体的なサイズなどは、最終的に製造されるチップ抵抗器の仕様に応じて適宜選択できる事項である。
【図面の簡単な説明】
【図１】（ａ）は、本願発明に係るチップ抵抗器の製造に用いられるフレームの一例を示す斜視図であり、（ｂ）は、その要部平面図である。
【図２】図１に示すフレームを製造するためのプレートの斜視図である。
【図３】（ａ），（ｂ）は、本願発明に係るチップ抵抗器の製造方法の一例の一部の工程を示す斜視図である。
【図４】（ｃ），（ｄ）は、本願発明に係るチップ抵抗器の製造方法の一例の他の工程を示す説明図である。
【図５】（ｅ），（ｆ）は、本願発明に係るチップ抵抗器の製造方法の一例の他の工程を示す斜視図である。
【図６】本願発明に係るチップ抵抗器の製造方法の一例の他の工程を示す斜視図である。
【図７】図３〜図６に示した製造方法により製造されたチップ抵抗器の一例を示す斜視図である。
【図８】図７のVIII−VIII断面図である。
【図９】図８の要部拡大断面図である。
【図１０】図７のＸ−Ｘ断面図である。
【図１１】（ａ）は、本願発明に係るチップ抵抗器の他の例を示す断面図であり、（ｂ）は、（ａ）の底面図であり、（ｃ）は、（ａ）に示すチップ抵抗器を製造する工程の一例を示す要部平面図である。
【図１２】（ａ）は、本願発明に係るチップ抵抗器の他の例を示す断面図であり、（ｂ）は、（ａ）の底面図であり、（ｃ）は、（ａ）に示すチップ抵抗器を製造する工程の一例を示す要部平面図である。
【図１３】（ａ）は、本願発明に係るチップ抵抗器の他の例を示す断面図であり、（ｂ）は、（ａ）の底面図であり、（ｃ）は、（ａ）に示すチップ抵抗器を製造する際の工程例を示す要部平面図である。
【図１４】（ａ），（ｂ）は、フレームの他の例を示す要部平面図である。
【図１５】従来のチップ抵抗器の一例を示す斜視図である。
【図１６】（ａ）〜（ｅ）は、従来のチップ抵抗器の製造方法の一例を示す説明図である。
【符号の説明】
Ａ，Ａａ〜Ａｃ  チップ抵抗器
Ｆ  フレーム
１  抵抗体
１Ａ  板状部（フレームの）
２Ａ  絶縁層
２Ｂ，２B'  絶縁層
２Ｃ，２C'  絶縁層
３，３A'  電極
１０ａ，１０ｂ  表裏面
１０ｃ  側面
【図１】
0003653076.tif 000002
【図２】
0003653076.tif 000003
【図３】
0003653076.tif 000004
【図４】
0003653076.tif 000005
【図５】
0003653076.tif 000006
【図６】
0003653076.tif 000007
【図７】
0003653076.tif 000008
【図８】
0003653076.tif 000009
【図９】
0003653076.tif 000010
【図１０】
0003653076.tif 000011
【図１１】
0003653076.tif 000012
【図１２】
0003653076.tif 000013
【図１３】
0003653076.tif 000014
【図１４】
0003653076.tif 000015
【図１５】
0003653076.tif 000016
【図１６】
0003653076.tif 000017